(57)【要約】【課題】  イベント情報とドキュメントは別個に管理されていたので、イベントに言及しているドキュメントを参照するためには、タイムスタンプから手作業で探さなければならず、時間がかかっていたという課題を解決する。【解決手段】  ドキュメントの中でイベントに言及しているとの通知を受けると、リンク情報送信部はこのドキュメントのリンク情報を送信する。このリンク情報を受信したリンク情報受信部は、関連するイベント情報に受信したリンク情報を追加する。イベント情報とドキュメントを相互にリンクさせることができるので、簡単にドキュメントを参照することができる。【選択図】                    図１
2010079586.tif 000002
【特許請求の範囲】
【請求項１】
ドキュメントを公開するドキュメント公開部と、
イベント情報を配信するイベント情報配信部と、
前記ドキュメントで前記イベント情報の記述があることの通知が入力されたときに、前記ドキュメントのリンク情報を送信するリンク情報送信部と、
前記リンク情報送信部が送信したリンク情報を受信したときに、このリンク情報を前記イベント情報配信部が保持しているイベント情報に追加するリンク情報受信部と、
を具備したことを特徴とする情報配信システム。
【請求項２】
前記リンク情報送信部は、ＨＴＴＰ(Hypertext Transfer Protocol)を用いて通信を行うようにしたことを特徴とする請求項１記載の情報配信システム。
【請求項３】
前記リンク情報は、前記ドキュメントのＵＲＬ(Uniform Resource Locator)であることを特徴とする請求項１若しくは請求項２記載の情報配信システム。
【請求項４】
前記ドキュメントは、オペレータが作成する日報であることを特徴とする請求項１乃至請求項３いずれかに記載の情報配信システム。
【請求項５】
前記ドキュメントは、機器の点検で前記機器に関して記述したドキュメントであることを特徴とする請求項１乃至請求項４いずれかに記載の情報配信システム。
【請求項６】
前記イベント情報配信部は情報変換部を具備し、この情報変換部でイベント情報をＲＳＳ(Rich Site Summary)フォーマットあるいはＡｔｏｍフォーマットに変換するようにしたことを特徴とする請求項１乃至請求項５いずれかに記載の情報配信システム。
【発明の詳細な説明】
【技術分野】
【０００１】
本発明は、プラントや工場で発生するイベントと、オペレータが作成する日報などのドキュメントとの間に自動的にリンクを張ることができる情報配信システムに関するものである。
【背景技術】
【０００２】
出願人は、特許文献１において、プラントや工場で発生するイベントをＲＳＳ(Rich Site Summary)あるいはＡｔｏｍフォーマットに変換したファイルをＷｅｂサーバに保存し、ＲＳＳリーダを用いてこのファイルを定期的に読み出すことにより、Ｗｅｂサーバをそのまま用いることができ、かつＷＩＮＤＯＷＳ（登録商標）環境に限定されることがない情報配信システムの発明を提案した。以下、図３を用いてこの発明の概要を説明する。
【０００３】
図３において、イベントロガー１０が発生したイベント情報は情報変換部１１に入力される。情報変換部１１は入力されたイベント情報をＲＳＳフォーマットあるいはＡｔｏｍフォーマットに変換し、ＲＳＳファイル１２を生成する。このＲＳＳファイル１２はＷｅｂサーバ１３に保存される。
【０００４】
１７はＲＳＳフォーマットを解釈できるリーダであり、ファイアウオール１６、１４、ネットワーク１５を介してＷｅｂサーバ１３に接続されている。リーダ１７は指定された周期でＷｅｂサーバ１３を巡回してＲＳＳファイル１２をダウンロードし、更新部分を抽出して表示する。
【０００５】
このように構成することにより、既存のＷｅｂサーバをそのまま使用することができ、かつイベント情報を多数の端末で同時に閲覧することができる。また、ＳＳＬ(Secure Socket Layer)を用いることにより、既存のセキュリティ技術を用いることができる。
【０００６】
制御システムのオペレータは、イベントが発生した場合に、日報などのドキュメントにイベント発生時の状況やそのとき行った操作を記述することが多い。このようなドキュメント参照システムを図４に示す。なお、図３と同じ要素には同一符号を付し、説明を省略する。
【０００７】
図４において、オペレータ２０は日報などのドキュメント２１を生成する。このドキュメント２１はＷｅｂサーバ２２に保存される。
【０００８】
ドキュメント２１を参照するリーダ２３はファイアウオール１６、１４、およびネットワーク１５を介してＷｅｂサーバ２２に接続されている。ドキュメント２１を参照するときは、リーダ２３はＷｅｂサーバ２２にアクセスしてドキュメント２１をダウンロードする。
【特許文献１】特開２００７−３３４７２３号公報
【発明の開示】
【発明が解決しようとする課題】
【０００９】
しかしながら、図３で説明したイベント情報を配信する情報配信システムと、図４で説明したドキュメント参照システムは、各々独立したシステムで運用されており、これらのシステムで提供される情報を関連付けることが困難であるという課題があった。
【００１０】
前述したように、図４のドキュメント参照システムで参照できる日報には、イベント情報に関わる情報が記載されていることが多々ある。そのため、イベントが発生した原因やその対策を調べるためには日報の参照が不可欠になるが、図３の情報配信システムで提供されるイベント情報と、図４のドキュメント参照システムで提供される日報を関連づける情報が提供されていないので、タイプスタンプ等から手作業で両者を結びつける作業を行う必要があり、手間がかかってしまうという課題があった。
【００１１】
従って本発明の目的は、イベント情報と日報等のドキュメントをリンクすることができる情報配信システムを提供することにある。
【課題を解決するための手段】
【００１２】
このような課題を解決するために、本発明のうち請求項１記載の発明は、
ドキュメントを公開するドキュメント公開部と、
イベント情報を配信するイベント情報配信部と、
前記ドキュメントで前記イベント情報の記述があることの通知が入力されたときに、前記ドキュメントのリンク情報を送信するリンク情報送信部と、
前記リンク情報送信部が送信したリンク情報を受信したときに、このリンク情報を前記イベント情報配信部が保持しているイベント情報に追加するリンク情報受信部と、
を具備したものである。イベント情報とそれに関するドキュメントをリンクさせることができる。
【００１３】
請求項２記載の発明は、請求項１記載の発明において、
前記リンク情報送信部は、ＨＴＴＰ(Hypertext Transfer Protocol)を用いて通信を行うようにしたものである。汎用の通信プロトコルを用いるので、ファイアウオールとの親和性が高い。
【００１４】
請求項３記載の発明は、請求項１若しくは請求項２記載の発明において、
前記リンク情報を、前記ドキュメントのＵＲＬ(Uniform Resource Locator)としたものである。イベント情報の参照時に、即座にそれに関連するドキュメントを参照できる。
【００１５】
請求項４記載の発明は、請求項１乃至請求項３いずれかに記載の発明において、
前記ドキュメントは、オペレータが作成する日報である。イベントに関する記述が多い日報に用いて好適である。
【００１６】
請求項５記載の発明は、請求項１乃至請求項４いずれかに記載の発明において、
前記ドキュメントは、機器の点検で前記機器に関して記述したドキュメントである。イベント情報の参照時に、それに関する機器情報を参照できる。
【００１７】
請求項６記載の発明は、請求項１乃至請求項５いずれかに記載の発明において、
前記イベント情報配信部は情報変換部を具備し、この情報変換部でイベント情報をＲＳＳフォーマットあるいはＡｔｏｍフォーマットに変換するようにしたものである。既存のＷｅｂサーバをそのまま用いることができ、かつＷＩＮＤＯＷＳ（登録商標）環境に限定されない。
【発明の効果】
【００１８】
以上説明したことから明らかなように、本発明によれば次のような効果がある。
請求項１，２、３、４、５および６の発明によれば、リンク情報送信部はドキュメント中でイベント情報の記述があることが通知されると、そのリンク情報をリンク情報受信部に送信し、リンク情報受信部はリンク情報を受信すると、イベント情報にリンク情報を追加するようにした。
【００１９】
従来別個に管理されていたイベント情報とドキュメントをリンクさせることができるので、イベント情報の参照時に関連するドキュメントを即座に参照することができるという効果がある。
【００２０】
また、リンク情報を送信する通信にＨＴＴＰを用いることにより、専用の通信プロトコルを必要とせず、かつファイアウオールとの親和性が高くなるという効果がある。
【発明を実施するための最良の形態】
【００２１】
以下本発明を図面を用いて詳細に説明する。図１は本発明に係る情報配信システムの一実施例を示す構成図である。なお、図３、図４と同じ要素には同一符号を付し、説明を省略する。
【００２２】
図１において、情報配信システムはドキュメント公開部３０、イベント情報配信部４０、リンク情報送信部５０、およびリンク情報受信部５１で構成される。
【００２３】
ドキュメント公開部３０は、図４で説明したドキュメント参照システムと同じ構成を有している。ドキュメントの作成者であるオペレータ２０はＰＣ端末などを介して日報などのドキュメント２１を生成する。このドキュメント２１はＷｅｂサーバ２２に保存されて公開される。
【００２４】
イベント情報配信部４０は、図３で説明したイベント情報を配信する情報配信システムと同じ構成を有している。イベントロガー１０で発生したイベント情報は情報変換部１１に入力される。情報変換部１１は、入力されたイベント情報をＲＳＳフォーマットあるいはＡｔｏｍフォーマットに変換し、ＲＳＳファイル１２を生成する。このＲＳＳファイル１２はＷｅｂサーバ１３に保存され、必要に応じて配信される。
【００２５】
オペレータ２０は、ＰＣ端末および図示しないネットワークを介して日報などのドキュメント２１にイベントの発生状況やそのとき行った操作などの各情報を記述したことをリンク情報送信部５０にｐｉｎｇなどにより通知する。リンク情報送信部５０は、この通知を受けると、リンク情報をリンク情報受信部５１に送信する。リンク情報受信部５１は、受信したリンク情報のイベントを特定し、リンク情報をイベント情報であるＲＳＳファイル１２に追加する。
【００２６】
このリンク情報の送信とイベント情報への追加は、ブログ等で用いられるトラックバック機能を用いて実現することができる。ブログのトラックバック機能は、他人のブログの記事の内容を引用・参照したとき、あるいは自身のブログの記事が他人のブログの記事と関連性の高いときなどに、自身のブログの記事で引用・参照したことなどを通知する目的で使用される。
【００２７】
次に、図２フローチャートに基づいて、図１実施例の動作を詳細に説明する。図２において、工程（Ｐ２−１）でオペレータ２０はドキュメント公開部３０を用いてドキュメント２１を記述する。次に、工程（Ｐ２−２）で、記述したドキュメント２１でイベントについて記述したときは（ＹＥＳ）工程（Ｐ２−３）に進み、イベントについて記述しないとき（ＮＯ）は終了する。
【００２８】
ドキュメント２１でイベントについて記述したときは、オペレータ２０は記述したことをリンク情報送信部５０に通知する（工程（Ｐ２−３））。この通知は、ブログ(ブログ)で使用されるｐｉｎｇを用い、ＨＴＴＰ(Hypertext Transfer Protocol)を用いて通信する。
【００２９】
通知を受けたリンク情報送信部５０は、工程（Ｐ２−４）で、ドキュメント２１のＵＲＬ(Uniform Resource Locator)をリンク情報受信部５１に送信する。具体的には、ドキュメント２１のＵＲＬが含まれたリンク情報を、記述したイベントに固有のＵＲＬに送信する。この送信は、イベント配信などと同様にＨＴＴＰ(Hypertext Transfer Protocol)を使用する。
【００３０】
次に、工程（Ｐ２−５）リンク情報受信部５１は、イベント固有のＵＲＬからイベントを特定する。そして、工程（Ｐ２−６）で特定したイベントのＲＳＳファイル１２にドキュメント２１のＵＲＬを追加する。
【００３１】
イベント情報配信部４０は、それぞれのイベントに対してリンクの通知を行うためのＵＲＬを設定する。このＵＲＬに対してリンク情報送信部５０からの通信を受けたら、イベントに対してリンクが張られたと判断し、イベント情報にドキュメントのＵＲＬを追加する。
【００３２】
このようにすることにより、イベント情報が記載されたＲＳＳファイル１２と、このイベント情報が記載されたドキュメント２１をリンクさせることができる。このため、Ｗｅｂサーバ１２に保存されたＲＳＳファイル１２を参照するだけで、そこに記載されているＵＲＬを用いて、イベントについての記述があるドキュメント２１を参照することができる。
【００３３】
また、ドキュメント２１とＲＳＳファイル１２は、それぞれＷｅｂサーバ２２、１３に保存するようにした。このため、ＲＳＳファイル１２、ドキュメント２１はＨＴＴＰ(Hypertext Transfer Protocol)を用いて参照することができるので、ファイアウオールとの親和性が高く、十分なセキュリティを確保することができる。
【００３４】
なお、この実施例ではイベント情報が記載されたＲＳＳファイル１２と日報などのドキュメント２１をリンクさせるようにしたが、それ以外のドキュメントとイベント情報をリンクさせることができる。
【００３５】
例えば、工場やプラントでは様々な機器を使用しており、これらの機器を保守管理するために、それぞれの機器について保守作業員が点検時にドキュメントを作成する場合が多い。このドキュメントのＵＲＬをイベント情報が記載されたファイルに追加することにより、イベント情報と同時にこのイベントに関係する機器の稼働状況、保守状況を参照することができる。この場合、図１でオペレータ２０を保守作業員に置き換えればよい。
【００３６】
なお、図１実施例ではイベント情報をＲＳＳ、あるいはＡｔｏｍフォーマットに変換してＲＳＳファイル１２を生成するようにしたが、必ずしもＲＳＳ、あるいはＡｔｏｍフォーマットに変換する必要はない。要は、イベント情報が記載されたファイルに、関係するドキュメントのリンク情報を追加するようにすればよい。
【００３７】
また、図１実施例ではイベント情報が格納されたファイル、およびドキュメントをＷｅｂサーバに保存するようにしたが、保存する場所は必ずしもＷｅｂサーバでなくてもよい。要は、外部からアクセスできる場所に保存すればよい。さらに、ＨＴＴＰではなく、専用の通信プロトコルをもちいてもよい。
【図面の簡単な説明】
【００３８】
【図１】本発明の一実施例を示す構成図である。
【図２】本発明の動作を説明するためのフローチャートである。
【図３】従来の情報配信システムの構成図である。
【図４】従来のドキュメント参照システムの構成図である。
【符号の説明】
【００３９】
１０  イベントロガー
１１  情報変換部
１２  ＲＳＳファイル
１３、２２  Ｗｅｂサーバ
２０  オペレータ
２１  ドキュメント
３０  ドキュメント公開部
４０  イベント情報配信部
５０  リンク情報送信部
５１  リンク情報受信部
【図１】
2010079586.tif 000003
【図２】
2010079586.tif 000004
【図３】
2010079586.tif 000005
【図４】
2010079586.tif 000006